【手続補正書】
【提出日】令和2年1月17日(2020.1.17)
【手続補正１】
【補正対象書類名】特許請求の範囲
【補正対象項目名】全文
【補正方法】変更
【補正の内容】
【特許請求の範囲】
【請求項１】
オブジェクトの３−Ｄ表現を表示するためのディスプレイ装置であって、前記ディスプレイ装置は、
回転可能構造と、
前記回転可能構造を回転させるように構成されるモータと、
前記回転可能構造上に配置される複数のライトフィールドサブディスプレイであって、各ライトフィールドサブディスプレイは、
複数のマイクロレンズを備えるマイクロレンズアレイと、
複数のピクセルサブセットを備えるピクセルアレイであって、各ピクセルサブセットは、関連付けられたマイクロレンズに対して空間的に固定され、光を生成するように構成される、ピクセルアレイと
を備え、
各ピクセルサブセットおよび関連付けられたマイクロレンズは、複数の角度において出射光を生成するように配列され、前記ピクセルサブセットの第１のピクセルからの光は、前記ピクセルサブセットの第２のピクセルの角度と異なる角度において前記ライトフィールドサブディスプレイから伝搬し、
各ピクセルサブセットおよび関連付けられたマイクロレンズは、一定の非ゼロ距離だけ相互に離間している、複数のライトフィールドサブディスプレイと、
前記ディスプレイ装置によって表示されるべきライトフィールド画像を記憶するように構成される非一過性メモリであって、前記ライトフィールド画像は、異なる視認方向における前記オブジェクトの複数の異なるビューを提供する、非一過性メモリと、
前記非一過性メモリ、前記モータ、および前記ライトフィールドサブディスプレイに動作可能に結合されるプロセッサであって、前記プロセッサは、
前記モータを駆動し、前記回転可能構造を回転軸を中心として回転させることであって、前記回転可能構造は、時間の関数としての回転角度に位置付けられる、ことと、
前記ライトフィールド画像にアクセスすることと、
前記回転角度に少なくとも部分的に基づいて、前記ライトフィールド画像を前記複数のライトフィールドサブディスプレイのそれぞれにマッピングし、マッピングされたライトフィールド画像を提供することと、
前記マッピングされたライトフィールド画像に少なくとも部分的に基づいて、前記複数のライトフィールドサブディスプレイを照明することと
を行うための実行可能命令でプログラムされる、プロセッサと
を備える、ディスプレイ装置。
【請求項２】
前記回転可能構造は、複数の伸長要素を備え、前記複数のライトフィールドサブディスプレイは、前記伸長要素または透明回転可能要素に沿って配置される、請求項１に記載の装置。
【請求項３】
前記複数の伸長要素は、前記回転軸と垂直な平面から湾曲される、請求項２に記載の装置。
【請求項４】
前記ディスプレイ装置は、ある視認方向から視認されるように構成され、前記複数の伸長要素は、前記視認方向から凸面状である、請求項２に記載の装置。
【請求項５】
前記複数のライトフィールドサブディスプレイは、前記回転軸から半径方向に配置される、請求項１に記載の装置。
【請求項６】
各ライトフィールドサブディスプレイは、前記回転軸からのその位置に基づいて、対応する半径を有し、前記複数のライトフィールドサブディスプレイを照明するために、前記プロセッサは、前記半径に基づいて、ライトフィールドサブディスプレイの照明の強度または持続時間をスケーリングするようにプログラムされる、請求項１に記載の装置。
【請求項７】
前記スケーリングは、前記ライトフィールドサブディスプレイの半径と線形である、請求項６に記載の装置。
【請求項８】
前記複数のライトフィールドサブディスプレイを照明するようにプログラムされる前記プロセッサと組み合わせて、オーディオを投影するように構成されるスピーカシステムをさらに備える、請求項１に記載の装置。
【請求項９】
オーディオを受信するように構成されるマイクロホンをさらに備え、前記プロセッサは、
オーディオ入力を前記マイクロホンから受信することと、
前記オーディオ入力がオーディオコマンドであることを認識することと、
前記オーディオコマンドに基づいて、前記複数のライトフィールドサブディスプレイの照明を修正するためのアクションを開始することと
を行うための実行可能命令でプログラムされる、請求項１に記載の装置。
【請求項１０】
前記ディスプレイ装置の所定の距離内のエンティティを検出するように構成される近接度センサをさらに備え、前記プロセッサは、前記近接度センサが前記エンティティを検出することに基づいて、アクションを開始するための実行可能命令でプログラムされる、請求項１に記載の装置。
【請求項１１】
オブジェクトの３−Ｄ表現を表示するための方法であって、前記方法は、
モータを駆動し、複数のライトフィールドサブディスプレイを備える回転可能構造を回転軸を中心として回転させることであって、前記回転可能構造は、時間の関数としての回転角度に位置付けられる、ことと、
ディスプレイ装置によって表示されるべきライトフィールド画像にアクセスすることであって、前記ライトフィールド画像は、異なる視認方向における前記オブジェクトの複数の異なるビューを提供する、ことと、
前記回転角度に少なくとも部分的に基づいて、前記ライトフィールド画像を前記複数のライトフィールドサブディスプレイのそれぞれにマッピングし、マッピングされたライトフィールド画像を提供することと、
前記マッピングされたライトフィールド画像に少なくとも部分的に基づいて、前記複数のライトフィールドサブディスプレイを照明することと
を含み、
各ライトフィールドサブディスプレイは、
複数のマイクロレンズを備えるマイクロレンズアレイと、
複数のピクセルサブセットを備えるピクセルアレイであって、各ピクセルサブセットは、関連付けられたマイクロレンズに対して空間的に固定され、光を生成するように構成される、ピクセルアレイと
を備え、
各ピクセルサブセットおよび関連付けられたマイクロレンズは、複数の角度において出射光を生成するように配列され、前記ピクセルサブセットの第１のピクセルからの光は、前記ピクセルサブセットの第２のピクセルの角度と異なる角度において前記ライトフィールドサブディスプレイから伝搬し、
各ピクセルサブセットおよび関連付けられたマイクロレンズは、一定の非ゼロ距離だけ相互に離間している、方法。
【請求項１２】
前記ライトフィールド画像は、複数のレンダリングされたフレームを備え、各レンダリングされたフレームは、前記オブジェクトの複数の異なるビューの異なるビューを示し、各レンダリングされたフレームは、前記レンダリングされたフレームをレンダリングするように組み合わせる、複数のレンダリングされたピクセルを備え、各レンダリングされたピクセルは、前記レンダリングされたフレーム内の位置を有する、請求項１１に記載の方法。
【請求項１３】
前記ライトフィールド画像を前記複数のライトフィールドサブディスプレイにマッピングすることは、前記回転角度に少なくとも部分的に基づき、マッピングすることは、各レンダリングされたピクセルの位置と前記回転可能構造上の各ライトフィールドサブディスプレイの位置を関連付けることを含み、各ライトフィールドサブディスプレイの位置は、前記時間の関数としての回転角度に基づく、請求項１２に記載の方法。
【請求項１４】
前記レンダリングされたピクセル位置は、前記複数のレンダリングされたフレーム間で不変である、請求項１３に記載の方法。
【請求項１５】
前記ライトフィールド画像を前記複数のライトフィールドサブディスプレイのそれぞれにマッピングすることはさらに、ライトフィールドサブディスプレイ毎に、表示されるべきレンダリングされたフレームおよび各レンダリングされたピクセルの位置と前記回転可能構造上の各ライトフィールドサブディスプレイの位置の関連付けに基づいて、色および強度を判定することを含む、請求項１３に記載の方法。
【請求項１６】
前記複数のライトフィールドサブディスプレイを照明することは、
所与のレンダリングされたフレームのために、前記判定された色および強度に基づいて、各ライトフィールドサブディスプレイを照明することであって、前記照明の方向は、前記レンダリングされたフレームの視認方向に関連する、ことと、
前記回転可能構造の回転、前記複数のレンダリングされたフレーム、および各レンダリングされたピクセルの位置と前記回転可能構造上の各ライトフィールドサブディスプレイの位置の関連付けに基づいて、各ライトフィールドサブディスプレイの照明をストロボ照射することと
を含む、請求項１３〜１５のいずれか１項に記載の方法。
【請求項１７】
画像の３−Ｄ表現を表示するためのディスプレイ装置であって、前記ディスプレイ装置は、
１つまたは複数のライトフィールドサブディスプレイであって、前記１つまたは複数のライトフィールドサブディスプレイのそれぞれは、複数の表示位置を有し、前記１つまたは複数のライトフィールドサブディスプレイは、１つまたは複数の回転軸を中心として回転するように構成される、１つまたは複数のライトフィールドサブディスプレイと、
前記ディスプレイ装置によって表示されるべきライトフィールド画像を記憶するように構成される非一過性メモリであって、前記ライトフィールド画像は、異なる視認方向におけるオブジェクトの複数の異なるビューを提供する、非一過性メモリと、
前記非一過性メモリおよび前記１つまたは複数のライトフィールドサブディスプレイに動作可能に結合されるプロセッサであって、前記プロセッサは、
前記回転軸のうちの少なくとも１つを中心として前記１つまたは複数のライトフィールドサブディスプレイの回転を駆動することであって、前記複数の表示位置は、時間の関数としての回転角度に基づく、ことと、
前記ライトフィールド画像および前記複数の表示位置に少なくとも部分的に基づいて、前記１つまたは複数のライトフィールドサブディスプレイを照明することと
を行うための実行可能命令でプログラムされる、プロセッサと
を備える、ディスプレイ装置。
【請求項１８】
回転させられ、前記少なくとも１つの回転軸を中心とした前記１つまたは複数のライトフィールドサブディスプレイの回転を引き起こすように構成される回転可能構造をさらに備え、前記複数のライトフィールドサブディスプレイは、前記回転可能構造上に配置される、請求項１７に記載の装置。
【請求項１９】
前記プロセッサは、
前記１つまたは複数のライトフィールドサブディスプレイの回転に少なくとも部分的に基づいて、前記ライトフィールド画像を前記複数の表示位置にマッピングし、マッピングされたライトフィールド画像を提供することと、
前記マッピングされたライトフィールド画像に少なくとも部分的に基づいて、前記１つまたは複数のライトフィールドサブディスプレイを照明することと
を行うための実行可能命令でプログラムされる、請求項１７または請求項１８に記載の装置。
【請求項２０】
各ライトフィールドサブディスプレイは、
複数のマイクロレンズを備えるマイクロレンズアレイと、
複数のピクセルサブセットを備えるピクセルアレイであって、各ピクセルサブセットは、関連付けられたマイクロレンズに対して空間的に固定され、光を生成するように構成される、ピクセルアレイと
を備え、
各ピクセルサブセットおよび関連付けられたマイクロレンズは、複数の角度において出射光を生成するように配列され、前記ピクセルサブセットの第１のピクセルからの光は、前記ピクセルサブセットの第２のピクセルの角度と異なる角度において前記ライトフィールドサブディスプレイから伝搬し、
各ピクセルサブセットおよび関連付けられたマイクロレンズは、一定の非ゼロ距離だけ相互に離間している、請求項１７に記載の装置。
【請求項２１】
各ピクセルサブセットと関連付けられたマイクロレンズとの間の前記一定の非ゼロ距離は、前記マイクロレンズアレイの焦点距離未満である、請求項２０に記載の装置。
【請求項２２】
各ピクセルサブセットと関連付けられたマイクロレンズとの間の前記一定の非ゼロ距離は、前記マイクロレンズアレイの焦点距離より大きい、請求項２０に記載の装置。
【請求項２３】
各ピクセルサブセットと関連付けられたマイクロレンズとの間の前記一定の非ゼロ距離は、前記マイクロレンズアレイの焦点距離に等しい、請求項２０に記載の装置。
【請求項２４】
各ピクセルサブセットと関連付けられたマイクロレンズとの間の前記一定の非ゼロ距離は、前記複数の角度において生成された光の間の間隙が低減されるように選択される、請求項２０に記載の装置。
【請求項２５】
各ライトフィールドサブディスプレイは、前記回転軸の軸方向に面している、請求項２０に記載の装置。
【請求項２６】
各ピクセルサブセットと関連付けられたマイクロレンズとの間の前記一定の非ゼロ距離は、前記マイクロレンズアレイの焦点距離未満である、請求項１に記載の装置。
【請求項２７】
各ピクセルサブセットと関連付けられたマイクロレンズとの間の前記一定の非ゼロ距離は、前記マイクロレンズアレイの焦点距離より大きい、請求項１に記載の装置。
【請求項２８】
各ピクセルサブセットと関連付けられたマイクロレンズとの間の前記一定の非ゼロ距離は、前記マイクロレンズアレイの焦点距離に等しい、請求項１に記載の装置。
【請求項２９】
各ピクセルサブセットと関連付けられたマイクロレンズとの間の前記一定の非ゼロ距離は、前記複数の角度において生成された光の間の間隙が低減されるように選択される、請求項１に記載の装置。
【請求項３０】
各ライトフィールドサブディスプレイは、前記回転軸の軸方向に面している、請求項１に記載の装置。
【請求項３１】
各ライトフィールドサブディスプレイは、前記回転軸の軸方向に面している、請求項１１に記載の方法。
【手続補正２】
【補正対象書類名】明細書
【補正対象項目名】００１２
【補正方法】変更
【補正の内容】
【００１２】
いくつかの実施形態では、オブジェクトの３−Ｄ表現を表示するためのディスプレイ装置および方法が、開示される。一実装では、ディスプレイ装置は、複数のライトフィールドサブディスプレイを備える、湾曲パネルを含んでもよい。
本発明は、例えば、以下を提供する。
（項目１）
オブジェクトの３−Ｄ表現を表示するためのディスプレイ装置であって、前記ディスプレイ装置は、
回転可能構造と、
前記回転可能構造を回転させるように構成されるモータと、
前記回転可能構造上に配置される複数のライトフィールドサブディスプレイと、
前記ディスプレイ装置によって表示されるべきライトフィールド画像を記憶するように構成される非一過性メモリであって、前記ライトフィールド画像は、異なる視認方向における前記オブジェクトの複数の異なるビューを提供する、非一過性メモリと、
前記非一過性メモリ、前記モータ、および前記ライトフィールドサブディスプレイに動作可能に結合されるプロセッサであって、前記プロセッサは、
前記モータを駆動し、前記回転可能構造を回転軸を中心として回転させることであって、前記回転可能構造は、時間の関数としての回転角度に位置付けられる、ことと、
前記ライトフィールド画像にアクセスすることと、
少なくとも部分的に、前記回転角度に基づいて、前記ライトフィールド画像を前記複数のライトフィールドサブディスプレイのそれぞれにマッピングすることと、
少なくとも部分的に、前記マッピングされたライトフィールド画像に基づいて、前記複数のライトフィールドサブディスプレイを照明することと
を行うための実行可能命令でプログラムされる、プロセッサと
を備える、ディスプレイ装置。
（項目２）
前記回転可能構造は、複数の伸長要素を備え、前記複数のライトフィールドサブディスプレイは、前記伸長要素または透明回転可能要素に沿って配置される、項目１に記載の装置。
（項目３）
前記複数の伸長要素は、前記回転軸と垂直な平面から湾曲される、項目２に記載の装置。
（項目４）
前記ディスプレイ装置は、ある視認方向から視認されるように構成され、前記複数の伸長要素は、前記視認方向から凸面状である、項目２に記載の装置。
（項目５）
前記複数のライトフィールドサブディスプレイは、前記回転軸から半径方向に配置される、項目１に記載の装置。
（項目６）
各ライトフィールドサブディスプレイは、前記回転軸からのその位置に基づいて、対応する半径を有し、前記複数のライトフィールドサブディスプレイを照明するために、前記プロセッサは、前記半径に基づいて、ライトフィールドサブディスプレイの照明の強度または持続時間をスケーリングするようにプログラムされる、項目１に記載の装置。
（項目７）
前記スケーリングは、前記ライトフィールドサブディスプレイの半径と線形である、項目６に記載の装置。
（項目８）
各ライトフィールドサブディスプレイは、
複数のマイクロレンズを備えるマイクロレンズアレイと、
複数のピクセルサブセットを備えるピクセルアレイであって、各ピクセルサブセットは、マイクロレンズと関連付けられ、光を生成するように構成される、ピクセルアレイと
を備え、
各ピクセルサブセットおよび関連付けられたマイクロレンズは、複数の角度において出射光を生成するように配列され、前記ピクセルサブセットの第１のピクセルからの光は、前記ピクセルサブセットの第２のピクセルの角度と異なる角度において前記ライトフィールドサブディスプレイから伝搬する、項目１−７のいずれか１項に記載の装置。
（項目９）
前記複数のライトフィールドサブディスプレイを照明するようにプログラムされる前記プロセッサと組み合わせて、オーディオを投影するように構成されるスピーカシステムをさらに備える、項目１に記載の装置。
（項目１０）
オーディオを受信するように構成されるマイクロホンをさらに備え、前記プロセッサは、
オーディオ入力を前記マイクロホンから受信することと、
前記オーディオ入力がオーディオコマンドであることを認識することと、
前記オーディオコマンドに基づいて、前記複数のライトフィールドサブディスプレイの照明を修正するためのアクションを開始することと
を行うための実行可能命令でプログラムされる、項目１に記載の装置。
（項目１１）
前記ディスプレイ装置の所定の距離内のエンティティを検出するように構成される近接度センサをさらに備え、前記プロセッサは、前記近接度センサが前記エンティティを検出することに基づいて、アクションを開始するための実行可能命令でプログラムされる、項目１に記載の装置。
（項目１２）
オブジェクトの３−Ｄ表現を表示するための方法であって、前記方法は、
モータを駆動し、複数のライトフィールドサブディスプレイを備える回転可能構造を回転軸を中心として回転させるステップであって、前記回転可能構造は、時間の関数としての回転角度に位置付けられる、ステップと、
前記ディスプレイ装置によって表示されるべきライトフィールド画像にアクセスするステップであって、前記ライトフィールド画像は、異なる視認方向における前記オブジェクトの複数の異なるビューを提供する、ステップと、
少なくとも部分的に、前記回転角度に基づいて、前記ライトフィールド画像を前記複数のライトフィールドサブディスプレイのそれぞれにマッピングするステップと、
少なくとも部分的に、前記マッピングされたライトフィールド画像に基づいて、前記複数のライトフィールドサブディスプレイを照明するステップと
を含む、方法。
（項目１３）
前記ライトフィールド画像は、複数のレンダリングされたフレームを備え、各レンダリングされたフレームは、前記オブジェクトの複数の異なるビューの異なるビューを示し、各レンダリングされたフレームは、前記レンダリングされたフレームをレンダリングするように組み合わせる、複数のレンダリングされたピクセルを備え、各レンダリングされたピクセルは、前記レンダリングされたフレーム内の位置を有する、項目１２に記載の方法。
（項目１４）
前記ライトフィールド画像を前記複数のライトフィールドサブディスプレイにマッピングするステップは、少なくとも部分的に、前記回転角度に基づき、各レンダリングされたピクセルの位置と前記回転可能構造上の各ライトフィールドサブディスプレイの位置を関連付けるステップを含み、各ライトフィールドサブディスプレイの位置は、前記時間の関数としての回転角度に基づく、項目１３に記載の方法。
（項目１５）
前記レンダリングされたピクセル位置は、前記複数のレンダリングされたフレーム間で不変である、項目１４に記載の方法。
（項目１６）
前記ライトフィールド画像を前記複数のライトフィールドサブディスプレイのそれぞれにマッピングするステップはさらに、ライトフィールドサブディスプレイ毎に、表示されるべきレンダリングされたフレームおよび各レンダリングされたピクセルの位置と前記回転可能構造上の各ライトフィールドサブディスプレイの位置の関連付けに基づいて、色および強度を判定するステップを含む、項目１４に記載の方法。
（項目１７）
前記複数のライトフィールドサブディスプレイを照明するステップは、
所与のレンダリングされたフレームのために、前記判定された色および強度に基づいて、各ライトフィールドサブディスプレイを照明するステップであって、前記照明の方向は、前記レンダリングされたフレームの視認方向に関連する、ステップと、
前記回転可能構造の回転、前記複数のレンダリングされたフレーム、および各レンダリングされたピクセルの位置と前記回転可能構造上の各ライトフィールドサブディスプレイの位置の関連付けに基づいて、各ライトフィールドサブディスプレイの照明をストロボ照射するステップと
を含む、項目１４−１６のいずれか１項に記載の方法。
（項目１８）
画像の３−Ｄ表現を表示するためのディスプレイ装置であって、前記ディスプレイ装置は、
１つまたはそれを上回るライトフィールドサブディスプレイであって、前記１つまたはそれを上回るライトフィールドサブディスプレイのそれぞれは、複数の表示位置を有し、前記１つまたはそれを上回るライトフィールドサブディスプレイは、１つまたはそれを上回る回転軸を中心として回転するように構成される、１つまたはそれを上回るライトフィールドサブディスプレイと、
前記ディスプレイ装置によって表示されるべきライトフィールド画像を記憶するように構成される非一過性メモリであって、前記ライトフィールド画像は、異なる視認方向における前記オブジェクトの複数の異なるビューを提供する、非一過性メモリと、
前記非一過性メモリおよび前記１つまたはそれを上回るライトフィールドサブディスプレイに動作可能に結合されるプロセッサであって、前記プロセッサは、
前記回転軸のうちの少なくとも１つを中心として前記１つまたはそれを上回るライトフィールドサブディスプレイの回転を駆動することであって、前記複数の表示位置は、時間の関数としての回転角度に基づく、ことと、
少なくとも部分的に、前記ライトフィールド画像および前記複数の表示位置に基づいて、前記１つまたはそれを上回るライトフィールドサブディスプレイを照明することと
を行うための実行可能命令でプログラムされる、プロセッサと
を備える、ディスプレイ装置。
（項目１９）
前記少なくとも１つの回転軸を中心とした前記１つまたはそれを上回るライトフィールドサブディスプレイの回転に基づいて回転されるように構成される回転可能構造をさらに備え、前記複数のライトフィールドサブディスプレイは、前記回転可能構造上に配置される、項目１８に記載の装置。
（項目２０）
前記プロセスは、
少なくとも部分的に、前記１つまたはそれを上回るライトフィールドサブディスプレイの回転に基づいて、前記ライトフィールド画像を前記複数の表示位置にマッピングすることと、
少なくとも部分的に、前記マッピングされたライトフィールド画像に基づいて、前記１つまたはそれを上回るライトフィールドサブディスプレイを照明することと
を行うための実行可能命令でプログラムされる、項目１８または１９に記載の装置。